(57)【要約】【課題】  少ない部品点数でシフトレバーのがたつきを防止することの可能なシフトレバー装置を提供する。【解決手段】  シフトレバー装置１は、操作レバー１０に対するシフト方向の位置決めを行うディテント機構２０が設けられている。このディテント機構２０は、フリクションの少ないディテントボール２２を含むディテント本体２１、腕部２３及びディテントプレート２４を備えている。腕部２３は、操作レバー１０に接続され、ディテントボール２２が操作レバー１０の支点１１を中心とする球状の軌跡に対して直行する方向に向くようディテント本体２１を固定する。ディテントプレート２４は、ディテントボール２２が当接すると共に溝部２５〜２７が形成されている。この溝部２５〜２７は、操作レバー１０のセレクト方向への操作時にディテントボール２２が動く方向と略平行に設けられた複数の円弧状に形成されている。【選択図】図２
2008260407.tif 000002
【特許請求の範囲】
【請求項１】
シフト方向とセレクト方向に操作される操作ノブが接続された操作レバーと、前記操作レバーに対する前記シフト方向の位置決めを行うディテント機構とを有し、
前記ディテント機構は、１軸方向にディテントボール移動可能に支持するディテント本体と、
前記操作レバーに接続され、前記ディテントボールの移動可能な方向が前記操作レバーの支点を中心とする球状の軌跡に対して直交する方向に向くよう前記ディテント本体を固定する腕部と、
前記ディテントボールが当接すると共に、前記操作レバーのセレクト方向への操作時に前記ディテントボールが動く方向と略平行に設けられた複数の円弧状の溝部が形成されたプレートと、
を有することを特徴とするシフトレバー装置。
【請求項２】
前記ディテント本体は、前記ディテントボールを前記プレートに対して付勢する付勢部材を有することを特徴とする請求項１に記載のシフトレバー装置。
【発明の詳細な説明】
【技術分野】
【０００１】
本発明は、シフトレバー装置に関する。
【背景技術】
【０００２】
一般に、マニュアルトランスミッションの変速操作装置は、例えば車室フロア上に配設された変速操作装置の操作レバーを操作することによって、トランスミッションケース内のシフトフォークを移動させて変速ギヤのかみ合いを替えるように構成されている。
【０００３】
プッシュプル方式のケーブルシフトを採用する手動変速機においては、ケーブルのインナワイヤとアウタスリーブの隙間による無効ストロークがレバー比により拡大し「ガタ」としてシフトノブ上に現れ、このガタはシフトノブのぐらつきとなり操作フィーリングの悪化要因となる。シフトレバーのセレクト（左右）操作方向は、シフトレバーをニュートラル（中立）位置へ積極的に戻す（保持する）必要がある事から、一般的には手動変速機本体内部と併せ、シフトレバー装置自体にもニュートラル保持のスプリング等の弾性体を設け中立位置に付勢するように構成されており、ケーブルによるガタはシフトノブ上には現れにくい。
【０００４】
しかし、シフト（前後）操作方向では、ニュートラル方向にレバーを付勢するとギヤ抜き方向となるためにシフトレバーをニュートラル方向に付勢するスプリング等の弾性体をセレクト方向と同様に採用することは出来ない。
【０００５】
このようにシフト操作方向のガタを抑制するために、一般的にはケーブル配策の適正化（直線配策）等によりガタの縮小に努めている。しかしながら、この方策によるガタの抑制には限界があり、且つ経年変化でのケーブルの伸びによるガタの増加には対応することが出来ない。このような問題点の対策として、シフトレバー装置にディテント機構を設け、レバー自体がシフト方向の動作を規制する構造が提案されている（特許文献１及び特許文献２参照）。
【特許文献１】実開平  ３−８８０６０号公報
【特許文献２】特開平  ４−２６６６６２号公報
【発明の開示】
【発明が解決しようとする課題】
【０００６】
しかしながら、手動変速機のシフトレバー装置はシフト方向とセレクト方向の２方向に操作されるために、シフト方向の位置決めを行うためのディテント機構がセレクト方向の動作を吸収するためのリンクあるいはスライド機構などを設ける必要があり、部品点数が増加し構造が複雑となる。
【０００７】
本発明は、上記問題点に鑑みて成されたものであり、少ない部品点数でシフトレバーのがたつきを防止することの可能なシフトレバー装置を提供することを目的とする。
【課題を解決するための手段】
【０００８】
上記課題を解決するために、本発明のシフトレバー装置は、シフト方向とセレクト方向に操作される操作ノブが接続された操作レバーと、前記操作レバーに対する前記シフト方向の位置決めを行うディテント機構とを有し、前記ディテント機構は、１軸方向にディテントボール移動可能に支持するディテント本体と、前記操作レバーに接続され、前記ディテントボールの移動可能な方向が前記操作レバーの支点を中心とする球状の軌跡に対して直交する方向に向くよう前記ディテント本体を固定する腕部と、前記ディテントボールが当接すると共に、前記操作レバーのセレクト方向への操作時に前記ディテントボールが動く方向と略平行に設けられた複数の円弧状の溝部が形成されたプレートと、を有することを特徴とする。
【０００９】
この構成によれば、操作レバー上に設けられたシフト（前後）方向のディテントによって、操作レバーのぐらつきを抑制することができ、セレクト時に悪影響を及ぼさず、且つ少ない部品点数で安価なシフトレバー装置を提供できる。
【００１０】
また、前記ディテント本体は、前記ディテントボールを前記プレートに対して付勢する付勢部材を有することを特徴とする。
【発明の効果】
【００１１】
本発明によれば、少ない部品点数でシフトレバーのがたつきを防止することの可能なシフトレバー装置を提供することができる。
【発明を実施するための最良の形態】
【００１２】
以下、本発明の最良の実施形態について、添付図面を参照しつつ説明する。図１は、本発明の実施形態に係るマニュアルトランスミッションのシフトレバー装置１の基本的な構成を説明するための要部斜視図である。
【００１３】
シフトレバー装置１は、ケーブル式のシフトリンク機構であり、マニュアルトランスミッションのシフトリンケージ支点（球状体）１１より出た２方向のアーム１３、１４により、操作ノブ１７上の動きをシフト方向及びセレクト方向の２方向の動きに分離させシフトケーブル１５、セレクトケーブル１６を押し引きすることでトランスミッションを変速させる機構である。
【００１４】
シフトレバー装置１は、操作レバー１０を前後左右に揺動可能に支持する球状の支点１１と、支点１１の下部に設けられた球状の球対偶１２と有し、支点１１がリンケージ機構等を介してマニュアルトランスミッションに連結されている。
【００１５】
操作レバー１０は、支点１１の上部に設けられ、シフト方向とセレクト方向に操作され、前進変速位置（１速〜６速）及び後退位置（Ｒ位置）の変速位置が付された操作ノブ１７を備えている。操作ノブ１７をＹ方向へ動かして、操作レバー１０を、支点１１を回動中心に左右方向であるセレクト方向に倒すことにより、１速−２速セレクト位置、３速−４速セレクト位置、５速−６速セレクト位置及び後退セレクト位置が得られ、支点１１に連結されたリンケージ機構を介してマニュアルトランスミッションに配設された１速−２速用、３速−４速用、５速−６速用及び後退用のセレクトケーブル１６が引かれる。
【００１６】
また、各セレクト位置から操作ノブ１７をＸ方向へ動かして、操作レバー１０を前後方向のシフト方向に傾倒することにより対応するシフトケーブル１５が引かれて所望の変速位置が得られる。
【００１７】
図２はディテント機構を説明するための図であり、同図（ａ）は、シフトレバー装置の正面図、同図（ｂ）は側面図（一部断面）である。同図（ｂ）点線は操作ノブ１７を前方向にシフトした状態を示す。尚、図１ではシフトレバー装置１の基本構成を説明するため、ディテント機構２０は省略している。
【００１８】
図２に示すように、シフトレバー装置１は、操作レバー１０に対するシフト方向の位置決めを行うディテント機構２０が設けられている。このディテント機構２０は、フリクションの少ないディテントボール２２を含むディテント本体２１、腕部２３及びディテントプレート２４を備えている。ディテント本体２１は、筒状の本体２１にディテントボール２２を筒状のディテント本体２１内で移動可能に収容すると共に渦巻バネ等の弾性部材（不図示）を収容し、ディテントボール２２を付勢するように構成されている。
【００１９】
腕部２３は、操作レバー１０に接続され、ディテントボール２２の移動可能な方向並びに弾性体による付勢方向が操作レバー１０の支点１１を中心とする球状の軌跡に対して直交する方向に向くようディテント本体２１を操作レバー１０に対して固定する。
【００２０】
ディテントプレート２４は、シフトレバー装置１本体のハウジングに固定されている。ディテントプレート２４は、ディテントボール２２が当接すると共に、ディテントボール２２の軌跡に沿うように略球面の一部を切り取ったような形状を持つ溝部２５〜２７が形成されている。この溝部２５〜２７は、操作レバー１０のセレクト方向への操作時にディテントボール２２が動く方向と略平行に設けられた複数の円弧状に形成されている。ディテントプレート２４は、比較的磨耗に強い金属板をプレス等あるいは金属の塊を切削で、更にはナイロン等の磨耗に強い樹脂等で成型される。
【００２１】
ディテントボール２２は、溝部２５〜２７内では自由に動くことが可能であるが、溝部２５〜２７から出る際にはディテントボール２２はディテントボール本体２１に渦巻バネの付勢に逆らい押し込まれる。またディテントボール２２が再度溝部２５〜２７に入る際は、ディテント本体２１よりバネにより押出される。
【００２２】
本実施の形態ではシフト方向の位置の規制のみを意図しているため、溝部２５〜２７はセレクト方向と平行に設けられディテントボール２２によるセレクト方向の規制は行われないが、シフトレバー装置１あるいはこのシフトレバー装置により操作されるトランスミッションにより中立位置以外でのセレクト方向の移動は規制されているため、操作レバー１０を前に倒した状態あるいは後ろに倒した状態では、セレクト操作は出来ないようになっている。一方、溝部２５〜２７をセレクト方向に設けていることによりセレクト方向の位置調整が不要になる。
【００２３】
上記実施形態によれば、操作レバー１０上に設けられたシフト方向のディテント機構２０によって、操作レバー１０のぐらつきを抑制することができ、セレクト時に悪影響を及ぼさず、且つ少ない部品点数で安価なシフトレバー装置を提供することができる。
【００２４】
以上、本発明の好ましい実施形態について詳述したが、本発明は上述した実施例に限定されるものではなく、特許請求の範囲に記載された本発明の要旨の範囲内において、種々の変形、変更が可能である。
【図面の簡単な説明】
【００２５】
【図１】本発明の実施形態に係るマニュアルトランスミッションのシフトレバー装置の基本的な構成を説明するための要部斜視図である。
【図２】ディテント機構を説明するための図であり、同図（ａ）は、シフトレバー装置の正面図、同図（ｂ）は側面図である。
【符号の説明】
【００２６】
１・・・シフトレバー装置
１０・・・操作レバー
１１・・・マニュアルトランスミッションのシフトリンケージ支点
１２・・・球対偶
１３、１４・・・アーム
１５・・・シフトケーブル
１６・・・セレクトケーブル
１７・・・操作ノブ
２０・・・ディテント機構
２１・・・ディテント本体
２２・・・ディテントボール
２３・・・腕部
２４・・・ディテントプレート
２５〜２７・・・溝部
【図１】
2008260407.tif 000003
【図２】
2008260407.tif 000004